(57)【要約】      （修正有）【課題】介護用ポールの床用台座および天井用台座の、床および天井との当接面の滑りや、偶力による台座の回転を抑制し、台座が床Ｆ等を傷付けるのを防止する。【解決手段】介護用ポールＰの台座１、３の床Ｆおよび天井Ｃとの当接面２に滑り止め材４を設ける。この滑り止め材４として、クロロプレンゴムシート５の片面にウレタンを塗布してウレタン塗布層６を形成したものを採用する。この滑り止め材４は当接面２の滑りを抑制するので、この介護用ポールＰがぐらつくことなく安定する。また、この滑り止め材４は軟質素材なので、台座１、３と床Ｆ等との隙間を弾性的に塞ぎ、両者の当接が常に確保されるので、偶力で台座１、３が回転しない。また、台座１、３が床Ｆ等に直接に接触しないので、床Ｆ等の傷付きが防止できる。前記ウレタン塗布層６はクロロプレンゴムシート５が床Ｆ等に転写するのを防止する。【選択図】図２
0003125869.tif 000002
【実用新案登録請求の範囲】
【請求項１】
床（Ｆ）と天井（Ｃ）との間に、床用台座（１）と天井用台座（３）を介在して突っ張り状態で垂直に設けられた介護用ポール（Ｐ）において、
前記台座（１、３）の前記床（Ｆ）または前記天井（Ｃ）との当接面（２）の少なくとも一方に、その当接面（２）で滑りが生じるのを防止する滑り止め材（４）を設けたことを特徴とする介護用ポール。
【請求項２】
上記滑り止め材（４）が上記当接面（２）の全面に設けられていることを特徴とする請求項１に記載の介護用ポール。
【請求項３】
上記滑り止め材（４）が、弾性素材からなることを特徴とする請求項１または２に記載の介護用ポール。
【請求項４】
上記弾性素材が、クロロプレンゴムシート（５）の片面にウレタンを塗布したものであって、そのウレタン塗布層（６）が上記床（Ｆ）または天井（Ｃ）に当接することを特徴とする請求項３に記載の介護用ポール。
【請求項５】
上記滑り止め材（４）を設けた上記台座（１、３）は、内側台座と外側台座とからなり、内側台座は外側台座に形成した窪みに嵌り込んで、外側台座は上記滑り止め材を介在して、床（Ｆ）または天井（Ｃ）へ当接することを特徴とする請求項１から４のいずれかに記載の介護用ポール。
【考案の詳細な説明】
【技術分野】
【０００１】
この考案は、高齢者や要介護者が歩行時等につかまって安定した姿勢を確保するための介護用ポールに関する。
【背景技術】
【０００２】
介護用ポールＰは、例えば、図１２に示すように、床Ｆと天井Ｃの間に外筒７を垂直に設け、内筒８をその外筒７の内側に上方から同軸に嵌め込み、この外筒７と内筒８を連結部材９で連結したポール１０と、このポール１０の上端に設けられ、ポール１０を床Ｆと天井Ｃの間で突っ張った状態で維持するための図示しないつるまきばねと、このポール１０の下端を床Ｆで支持する床用台座１と、上端を天井Ｃに固定する天井用台座３と、ポール１０に固定されたつかまり立ち用のハンドル１１とからなる構成が知られている（特許文献１参照）。
【特許文献１】実用新案登録第３１２２２７３号公報
【０００３】
上記台座１、３は、それぞれ内側台座１ａ、３ａと、外側台座１ｂ、３ｂとからなり、内側台座１ａ、３ａは、外側台座１ｂ、３ｂに形成された窪みに嵌め込まれている。
【０００４】
台座１、３は、ポール１０が直接床Ｆあるいは天井Ｃに当接する場合と比較して、床Ｆ等と当接する部分の面積を大きくする役目を有する。当接する部分の面積を大きくすると、台座１、３と床Ｆ等の間の摩擦が大きくなるので、ポール１０を、台座１、３を介在して床Ｆ等の間に突っ張り状態で垂直に設けた際に、このポール１０がぐらつくことなく安定する。そのため、このポール１０に固定されたハンドル１１に高齢者等が歩行時等につかまって、安定した姿勢を確保することができる。
【０００５】
高齢者等がハンドル１１につかまり、このハンドル１１に水平方向の偶力が作用すると、ポール１０が弓なりにたわみ、例えば、図１３に示すように、このポール１０を支持する床用台座１の一部に応力集中Ｓが生じる。応力集中Ｓが生じると、この応力集中Ｓの位置を支点とした偶力による回転力が生じ、上記介護用ポールＰが不安定となりやすい。
【０００６】
しかし、この台座１、３の内側台座１ａ、３ａは、外側台座１ｂ、３ｂの窪みに嵌め込まれているので、その応力集中Ｓの位置を支点として回転しようとしても、その内側台座１ａ、３ａの側面が外側台座１ｂ、３ｂの窪みの内側面に当接してその回転が阻止される。このため、高齢者がハンドル１１につかまった際の安全性が確保される。
【０００７】
また、ハンドル１１の径を大きくした場合、ハンドル１１に同じ大きさの偶力が作用してもそのモーメントは大きくなるので、回転力はより大きくなる。この場合でも、上記のように内側台座１ａ、３ａが外側台座１ｂ、３ｂにしっかりと嵌め込まれていれば、上記介護用ポールＰの回転が阻止され、安全性が常に確保される。
【０００８】
なお、上記応力集中Ｓが生じた際に、この応力集中Ｓの度合いが、台座１、３の素材の強度限界を超えると、台座１、３に割れが生じる恐れがある。この割れが生じると、ポール１０を安定して支持することが難しくなり、このポール１０が倒れる恐れが生じるので、通常、台座１、３には、木材や硬質プラスチック等の強度限界の高い、硬質素材が用いられる。
【考案の開示】
【考案が解決しようとする課題】
【０００９】
上記介護用ポールに固定された上記ハンドル１１に高齢者等がつかまって、上記ポールに強い横方向の力が加わった場合、床等が平滑面だと、台座と床等との間の摩擦が十分得られない。そのため、それらの間で滑りが生じやすく、この介護用ポールがずれて動く恐れがある。
【００１０】
また、上記ハンドル１１等に大きな偶力が作用し、上記ポールが大きく弓なりにたわんだ場合は、図１３に示すように、内側台座の傾斜のみでは、このたわみによる傾きを吸収することが困難となる。内側台座１ａのみならず外側台座１ｂも傾斜すると、前記偶力によりこの外側台座１ｂが回転して、上記介護用ポールの安定性が失われる恐れがある。
【００１１】
さらに、上記ポールを上下端で支持する台座１、３には硬質素材が用いられるので、その台座１、３を介在して上記介護用ポールを床Ｆと天井Ｃの間に突っ張らせると、床等の素材が台座１、３の素材よりも軟質の場合、床等を傷付ける恐れもある。
【００１２】
この考案は、このような現状に鑑み、介護用ポールの台座の床等との当接面の滑りを抑制することを第１の課題、偶力による台座の回転を抑制するとともに台座が床等を傷付けるのを防止することを第２の課題とする。
【課題を解決するための手段】
【００１３】
この考案は、上記第１の課題を解決するため、上記当接面に滑り止め材を設けることとし、上記第２の課題を解決するため、その滑り止め材を弾性素材とすることとしたのである。
【考案の効果】
【００１４】
滑り止め材を設けると、台座と床等との間の摩擦が大きくなるので、両者の間の滑りを抑制することができる。そのため、高齢者等が上記介護用ポールのポールやハンドル等につかまり、それによってポールに横方向の力が加わっても、この介護用ポールがずれて動く恐れが低い。
【００１５】
その滑り止め材を弾性素材とすると、台座の当接面に設けた弾性素材が、台座と床等との隙間を弾性的に塞ぐので、床等に多少の凹凸があっても、その凹凸に倣って滑り止め材が変形し、その滑り止め材を介して台座と床等との当接を十分に確保するため、偶力により台座が回転する恐れが低い。
【００１６】
また、弾性素材は、通常、床等の素材よりも軟質なため、上記台座を介在して上記介護用ポールを床と天井の間に突っ張らせても、床等を傷付ける恐れは非常に低い。
【考案を実施するための最良の形態】
【００１７】
この考案の実施形態としては、床と天井の間に外筒を垂直に設け、内筒をその外筒の内側に上方から同軸に嵌め込み、この外筒と内筒を連結部材で連結したポールと、このポールの上端に設けられ、ポールを床と天井の間で突っ張った状態で維持するためのつるまきばねと、このポールの下端を床で支持する床用台座と、上端を天井に固定する天井用台座とからなる介護用ポールにおいて、前記床用台座と床との当接面、または、前記天井用台座と天井との当接面の少なくとも一方に、前記当接面で滑りが生じるのを防止する滑り止め材を設けた構成を採用できる。
【００１８】
滑り止め材は、床用および天井用の両者の台座に設けることが好ましいが、その一方でも、この考案の作用効果を得ることができるため、その台座の少なくとも一方に設ける。
【００１９】
上記滑り止め材として、クロロプレンゴムシートを採用できる。この滑り止め材を台座の床等との当接面に介在すると、この当接面で大きな摩擦が生じるので、台座と床等との間の滑りを抑制できる。しかも、この滑り止め材は軟質な弾性素材なので、これを当接面に貼り付けて使用すれば、床等を傷つける恐れは非常に低い。
【００２０】
また、上記ハンドル等に大きな偶力が作用し、上記ポールが大きく弓なりにたわんだ場合（図１１（ａ）から（ｂ））、外側台座１ｂの床Ｆとの当接面に設けられた、軟質な弾性素材からなる滑り止め材４が弾性的に変形して、外側台座１ｂと床Ｆの間に隙間が生じるのを防ぐので、この滑り止め材を介在して、外側台座と床の当接が確保される。そのため、ハンドル等に大きな偶力が作用しても、この偶力により外側台座が回転して、上記介護用ポールの安定性が失われる恐れが小さい。
【００２１】
クロロプレンゴムシートは耐薬品性が高く化学的に安定しているため、長期に亘って上記の滑り止め材に機能を有効に発揮する。しかし、上記介護用ポールを長期間取り付けたままにすると、床等の素材によっては、稀にクロロプレンゴムシートが床等に転写されて、この介護用ポールを外した際、床等にその転写による黒い汚れが残ることがある。このため、クロロプレンゴム表面にウレタンを塗布してその転写を無くすことが好ましい。ウレタンは耐摩耗性があり、転写もないからである。なお、ウレタンを塗布しないで使用する場合は、床等にゴム成分が転写しないかどうか、床等の素材との相性を予め調べておく。
【００２２】
上記滑り止め材は、上記介護用ポールに高齢者等がつかまった際に、この介護用ポールがずれて動くのを抑制できる素材であり、かつ、その素材が床等を傷つける恐れが低い弾性材料であれば、クロロプレンゴムシートに限定されず、公知の素材を広く採用することができる。
【実施例】
【００２３】
この考案の介護用ポールＰは、例えば、図１に示す構成が採用できる。この構成は、床用台座１の床Ｆとの当接面２と、天井用台座３の天井Ｃとの当接面２とに滑り止め材４を貼り付けた点以外は従来法と同じなので、従来と同じ構成部分についての説明は省略する。
【００２４】
上記床用台座１を図２に示して説明すると、この床用台座１は木製で、床Ｆとの当接面２には滑り止め材４が貼り付けられている。
【００２５】
また、上記天井用台座３を図３に示して説明すると、この天井用台座３も上記床用台座１と同じく木製で、天井Ｃとの当接面２にも上記床用台座１に貼り付けたものと同じ滑り止め材４が貼り付けられている。
【００２６】
天井用台座３の外側台座３ｂとして、図４から図８に示す形状も採用できる。例えば、天井に火災報知機１２等の突起物が設けられている場合でも、図４に示すＨ字形、図５に示す長Ｈ字形、図６に示すＴ字形の天井用外側台座３ｂを用いると、その突起物を避けつつ、安定して介護用ポールが設置できる。
【００２７】
また、図７に示す三角形の天井用外側台座３ｂを用いると、部屋の隅等の奥まった場所にも上記介護用ポールを設置できる。
【００２８】
さらに、階段の下や屋根裏等、天井が傾斜している場所でも、図８に示す傾斜天井用の天井用外側台座３ｂを用いると、傾斜面にこの天井用外側台座３ｂが面接触状態で当接するので、安定して上記介護用ポールが設置できる。このように、設置場所に適合する天井用外側台座３ｂを適宜選択することで、どこでも介護用ポールが設置できる。
【００２９】
また、床用外側台座１ｂとして、図９に示す円形のものを適用することもできる。
【００３０】
上記台座１、３の当接面２に設けた滑り止め材４は、図１０に示すように、厚さが約３ｍｍのクロロプレンゴムシート５のスポンジ体（商品名：ＣＲスポンジＮＶ−Ｍ、大和紡績株式会社製）の片面に、ウレタン（商品名：タケシール１液カラー防水材、竹林化学工業株式会社製)を約２００μmの厚さに塗布・乾燥してウレタン塗布層６を形成したものであり、この滑り止め材４のクロロプレンゴムシート５を、前記台座１、３に粘着テープ等で貼り付ける。
【００３１】
上記滑り止め材４のウレタン塗布層６は床Ｆ等との間で大きな摩擦を生じるので、この滑り止め材４を貼り付けた台座１、３と、床Ｆ等との間の滑りが抑制され、この介護用ポールＰがずれて動く恐れは少ない。
【００３２】
上記滑り止め材４は弾性素材のクロロプレンゴムシート５がベースなので、台座１、３が床Ｆまたは天井Ｃに当接されると、この滑り止め材４が台座１、３と床Ｆ等の隙間を弾性的に塞ぎ、高齢者等がハンドル１１等につかまって、上記ポール１０がたわみ両外側台座１ｂ、３ｂが床等に対して傾いても、この滑り止め材４を介して、台座１、３と床Ｆ等との当接が有効に維持される。そのため、上記介護用ポールの安定性が確保される。
【００３３】
また、上記台座１、３は木製なので、これらが直接に床Ｆ等に当接すると、床Ｆ等を傷付ける恐れがあるが、床Ｆ等に触れる滑り止め材は弾性素材からなるので、床Ｆ等を傷付ける恐れは低い。
【００３４】
さらに、上記滑り止め材４の表面のウレタン塗布層６は、上記クロロプレンゴムシート５が直接に床Ｆ等と接触するのを阻止するので、この介護用ポールを長期間取り付けていても、床Ｆ等にクロロプレンゴムシート５が転写されて、黒い汚れが残ることはない。そのため、上記介護用ポールＰを撤去した後に、床等に付着した汚れを除去する手間を必要としない。
【図面の簡単な説明】
【００３５】
【図１】一実施例における介護用ポール全体の側面図
【図２】同実施例における床用台座の（ａ）は側面図、（ｂ）は床との当接面から見た斜視図
【図３】同実施例における天井用台座の（ａ）は側面図、（ｂ）は天井との当接面から見た斜視図
【図４】他の実施例における天井用台座の斜視図
【図５】他の実施例における天井用台座の斜視図
【図６】他の実施例における天井用台座の斜視図
【図７】他の実施例における天井用台座の斜視図
【図８】他の実施例における天井用台座の斜視図
【図９】他の実施例における床用台座の斜視図
【図１０】滑り止め材の断面を示す斜視図
【図１１】介護用ポールにおいて、（ａ）は偶力がないとき、（ｂ）は水平方向の偶力が作用したときの床用台座の作用図
【図１２】従来例における介護用ポール全体の側面図
【図１３】従来の介護用ポールの作用図
【符号の説明】
【００３６】
１  床用台座
２  当接面
３  天井用台座
４  滑り止め材
５  クロロプレンゴムシート
６  ウレタン塗布層
Ｐ  介護用ポール
Ｆ  床
Ｃ  天井
【図１】
0003125869.tif 000003
【図２】
0003125869.tif 000004
【図３】
0003125869.tif 000005
【図４】
0003125869.tif 000006
【図５】
0003125869.tif 000007
【図６】
0003125869.tif 000008
【図７】
0003125869.tif 000009
【図８】
0003125869.tif 000010
【図９】
0003125869.tif 000011
【図１０】
0003125869.tif 000012
【図１１】
0003125869.tif 000013
【図１２】
0003125869.tif 000014
【図１３】
0003125869.tif 000015